(57)【要約】【課題】伝送路損失の変動を適確に補正して通信品質の劣化を抑制することができる光通信システム及び光通信装置を提供する。【解決手段】送信側装置Ａが、受信側装置Ｂへ送信する光信号のパワーを増幅する光増幅部５ａと、光増幅部５ａの出力に接続し、伝送路ファイバ４を介して受信側装置Ｂから受信した制御光信号のパワーレベルに応じて、光増幅部５ａから出力された光信号のパワーを一定レベルに調整するＶＯＡ７とを備える。【選択図】図３
2009267950.tif 000002
【特許請求の範囲】
【請求項１】
光信号を送信する送信側装置と、前記送信側装置から伝送路ファイバを介して送信された光信号を受信する受信側装置とを備えた光通信システムにおいて、
前記送信側装置は、
制御光信号のパワーレベルに応じて、前記受信側装置へ送信する光信号のパワーを一定レベルに調整する光可変減衰部を備え、
前記受信側装置は、
前記制御光信号を生成し、前記伝送路ファイバを介して前記制御光信号を前記送信側装置へ出力する制御光生成部を備えたことを特徴とする光通信システム。
【請求項２】
送信側装置は、
光可変減衰部へ入力される制御光信号の一部を分岐する分岐部と、
前記分岐部で分岐された前記制御光信号のパワーをモニタするモニタ部とを備えたことを特徴とする請求項１記載の光通信システム。
【請求項３】
受信側装置は、
光信号のパワーを一定レベルに調整する光可変減衰部を備えたことを特徴とする請求項１または請求項２記載の光通信システム。
【請求項４】
送信側装置は、
制御光信号を生成し、伝送路ファイバを介して前記制御光信号を受信側装置へ出力する制御光生成部を備え、
前記受信側装置の光可変減衰部は、
前記送信側装置から受信した制御光信号のパワーレベルに応じて、光信号のパワーを一定レベルに調整することを特徴とする請求項３記載の光通信システム。
【請求項５】
受信側装置は、
光可変減衰部へ入力される制御光信号の一部を分岐する分岐部と、
前記分岐部で分岐された前記制御光信号のパワーをモニタするモニタ部とを備えたことを特徴とする請求項３または請求項４記載の光通信システム。
【請求項６】
伝送路ファイバを介して接続する受信側の光通信装置へ光信号を送信する光通信装置において、
前記受信側の光通信装置へ送信する光信号のパワーを増幅する光増幅部と、
前記光増幅部の出力に接続し、前記伝送路ファイバを介して前記受信側の光通信装置から受信した制御光信号のパワーレベルに応じて、前記光増幅部から出力された光信号のパワーを一定レベルに調整する光可変減衰部とを備えたことを特徴とする光通信装置。
【請求項７】
制御光信号を生成し、伝送路ファイバを介して前記制御光信号を受信側の光通信装置へ出力する制御光生成部を備えたことを特徴とする請求項６記載の光通信装置。
【請求項８】
伝送路ファイバを介して接続する請求項７記載の光通信装置から光信号を受信する光通信装置において、
前記光通信装置から受信した光信号のパワーを増幅する光増幅部と、
前記光増幅部の入力に接続し、前記伝送路ファイバを介して前記送信側の光通信装置から受信した制御光信号のパワーレベルに応じて、前記光増幅部へ入力する光信号のパワーを一定レベルに調整する光可変減衰部とを備えたことを特徴とする光通信装置。
【請求項９】
光可変減衰部へ入力される制御光信号の一部を分岐する分岐部と、
前記分岐部で分岐された前記制御光信号のパワーをモニタするモニタ部とを備えたことを特徴とする請求項６から請求項８のうちのいずれか１項記載の光通信装置。
【発明の詳細な説明】
【技術分野】
【０００１】
この発明は、伝送路の伝送損失変動による信号劣化を補償する光通信システム及び光通信装置に関するものである。
【背景技術】
【０００２】
現在広く実用化されている光通信システムは、伝送路ファイバを介して互いに接続される光ノードとして、伝送すべき情報に応じて信号光パワー又は光周波数を変調する送信側装置と、この送信側装置から伝送された光信号を受信する受信側装置とを備える。また、従来の光通信システムでは、受信側装置となる光増幅器の入力側に光可変減衰器（以下、ＶＯＡ（Variable Optical Attenuator）と称す）が設けられており、ＶＯＡの減衰量を制御することで伝送路ファイバの伝送路損失変動を補償していた（例えば、特許文献１〜３参照）。
【０００３】
【特許文献１】特開２００３−１７４４２１号公報
【特許文献２】特開２００６−１６６４７８号公報
【特許文献３】特開２００４−１１２３１２号公報
【発明の開示】
【発明が解決しようとする課題】
【０００４】
従来の光通信システムは、受信側装置となる光増幅器の入力側にＶＯＡを設けて受信側だけで伝送路損失変動を吸収していたので、伝送路損失変動分を見越した損失をＶＯＡに設定する必要があった。
【０００５】
伝送路ファイバの伝送路損失は、外気温や湿度等の外的要因や、人的要因によって発生する。例えば、屋外に配置された伝送路ファイバは、天候によって伝送路損失が変動することがある。また、人的要因としては、作業者が伝送路ファイバを踏みつける等して、伝送路ファイバに応力が加わったことで伝送路損失が変動する場合が挙げられる。
【０００６】
このように、伝送路損失は様々な要因で変動しているため、伝送路ファイバに発生した伝送路損失の変動分がＶＯＡに設定した値より大きかった場合、信号光のパワーレベルが低下して信号対ノイズ（ＳＮＲ；Signal to Noise Ratio）が劣化し、通信エラー発生の要因となったり、安定した長距離伝送が行えない。
【０００７】
また、送信側装置との間における伝送路の距離が短く、伝送路損失が少ない場合、受信側装置で受信される信号光パワーは相対的に高くなる。この場合、受信側装置の光増幅器には、受信した信号光をさらに高いパワーでの増幅が要求され、高性能な光増幅器が必要になるという課題があった。
【０００８】
この発明は、上記のような課題を解決するためになされたもので、伝送路損失の変動を適確に補正して通信品質の劣化を抑制することができる光通信システム及び光通信装置を得ることを目的とする。
【課題を解決するための手段】
【０００９】
この発明に係る光通信システムは、光信号を送信する送信側装置と、前記送信側装置から伝送路ファイバを介して送信された光信号を受信する受信側装置とを備えた光通信システムにおいて、前記送信側装置が、制御光信号のパワーレベルに応じて、前記受信側装置へ送信する光信号のパワーを一定レベルに調整する光可変減衰部を備え、前記受信側装置が、前記制御光信号を生成し、前記伝送路ファイバを介して前記制御光信号を前記送信側装置へ出力する制御光生成部を備えるものである。
【発明の効果】
【００１０】
この発明によれば、送信側装置が、伝送路ファイバを介して受信側装置から受信した制御光信号のパワーレベルに応じて、光信号のパワーを一定レベルに調整する光可変減衰部を備えるので、伝送路ファイバにおける伝送路損失の変動を吸収（補正）することができ、かつ、伝送路ファイバの種別に応じて信号光の送信パワーを容易に変更できるという効果がある。また、受信側装置からの制御光信号のパワーレベルに応じて伝送路損失の変動を吸収するので、光可変現素部の減衰量を適切に設定でき、信号光を減衰し過ぎず、ＳＮＲの劣化を防止することができるという効果がある。
【発明を実施するための最良の形態】
【００１１】
実施の形態１．
図１は、この発明による光通信システムが適用されるシステム形態を示す図であり、ノードをリング状に接続したＷＤＭ（Wavelength Division Multiplexing）通信システム１Ａを示している。また、図２は、この発明による光通信システムが適用される他のシステム形態を示す図であり、複数のノードを直列に接続したＷＤＭ通信システム１Ｂを示している。
【００１２】
図１及び図２において、ＷＤＭ通信システム１Ａ，１Ｂを構成するノード２−１〜２−６は、この発明による光通信装置が適用されるＷＤＭ光通信装置である。なお、ノード数は６個の場合を示したが、システムごとに異なるものであり、必ずしも６個が最大数ではない。各ノード（光通信装置）２−１〜２−６は、伝送路と呼ばれる光ファイバによって接続される。
【００１３】
伝送路は、通常上り下りの２系統あり、Ｅ系（Ｅａｓｔ系）／Ｗ系（Ｗｅｓｔ系）や０系／１系と呼ばれる。ここでは、Ｅ系／Ｗ系と記載している。ＷＤＭ通信システムは、インターネット等の通信網の普及に伴い、長距離幹線系やメトロリング網に導入されてきている。このような広範囲な通信網に適用されたＷＤＭ通信システムの伝送路は、通常屋外に配置されており、天候等の外的要因や人為的な要因によって伝送路損失が変動することがある。
【００１４】
伝送路損失の変動は、各ノード２−１〜２−６に設置されている端局装置３−１〜３−６間の安定した通信（通信品質）に影響を与える。例えば、伝送路損失が急に大きくなると、端局装置３−１〜３−６へ届く光信号の光パワーが小さくなり、通信エラー発生や、ＳＮＲが劣化する。
【００１５】
そこで、この発明では、上述のような伝送路損失の変動を適確に補正して通信品質の劣化を抑制することができる光通信システム及び光通信装置を提供する。
図３は、この発明の実施の形態１による光通信装置の構成を概略的に示すブロック図である。図３において、信号光を送信する送信側装置Ａが、光増幅部５ａ、光フィルタ６ａ及び光可変減衰器（以下、ＶＯＡと称す）（光可変減衰部）７を備え、送信側装置Ａからの信号光を伝送路ファイバ４を介して受信する受信側装置Ｂが、光増幅部５ｂ、光フィルタ６ｂ及び制御光生成部８を備える。
【００１６】
伝送路ファイバ４は、送信側装置Ａから送信された信号光を伝送するための伝送媒体であり、光ファイバケーブルで構成される。光増幅部５ａ，５ｂは、入力された信号光を増幅する構成要素であり、励起レーザ等から構成される。光フィルタ６ａは、信号光と制御光信号を分波するためのフィルタであり、光フィルタ６ｂは、信号光と制御光信号を合波するためのフィルタである。
【００１７】
ＶＯＡ７は、受信側装置Ｂへ送信すべき情報に関する信号光のパワーを調節する。制御光生成部８は、ＶＯＡ７の動作を制御するための制御光信号を送信側装置Ａへ送信する構成要素であり、レーザダイオードなどから構成される。
【００１８】
図３に示すように、この発明による光通信システムでは、上述した従来の光通信システムと異なり、信号光（伝送情報の光信号）を送信する送信側装置Ａに、信号光のパワーを可変するＶＯＡ７を設けている。つまり、送信側装置Ａが、受信側装置Ｂの制御光生成部８から伝送された制御光信号のパワーレベルに応じてＶＯＡ７の減衰量を調節し、信号光パワーを制御する。
【００１９】
次に動作について説明する。
制御光生成部８で生成された制御光信号は、光フィルタ６ｂによって信号光と合波され、伝送路ファイバ４を介して送信側装置Ａへ伝送される。このとき、制御光信号は、信号光とは逆向きに伝送路ファイバ４中を伝送する。つまり、信号光は、送信側装置Ａから受信側装置Ｂに向かって伝送されるが、制御光信号は、受信側装置Ｂから送信側装置Ａに向かって伝送される。
【００２０】
送信側装置Ａでは、光フィルタ６ａによって信号光から制御光信号が分波される。分波された制御光信号は、不図示のフォトダイオード等で電気信号に変換され、変換後の電圧値、若しくは送信側装置Ａで予め変調した変調周波数等を検出する。続いて、不図示の比較器によって、制御光信号についての電気信号の電圧値と予め設定した所定の閾値との差分を検出し、この差分に応じて送信側装置ＡのＶＯＡ７を制御する。
【００２１】
例えば、伝送路ファイバ４において伝送路損失が増大し、送信側装置Ａへ入力する制御光信号のパワーが低くなると、これに応じて減衰量を調節することにより、ＶＯＡ７での損失を少なくする。これにより、伝送路ファイバ４へ送信する信号光パワーレベルを増加させる。反対に、伝送路損失が減少し、送信側装置Ａへ入力する制御光信号のパワーが高くなると、ＶＯＡ７での損失が増加するように制御する。このようにして、受信側装置Ｂで受信された信号光パワーレベルを常に一定に保つことができる。
【００２２】
以上のように、この実施の形態１によれば、光通信システム１Ａ，１Ｂにおいて、送信側装置Ａが、伝送路ファイバ４を介して受信側装置Ｂから受信した制御光信号のパワーレベルに応じて、光信号のパワーを一定レベルに調整するＶＯＡ７を備える。特に、送信側装置Ａが、受信側装置Ｂへ送信する光信号のパワーを増幅する光増幅部５ａと、光増幅部５ａの出力に接続し、伝送路ファイバ４を介して受信側装置Ｂから受信した制御光信号のパワーレベルに応じて、光増幅部５ａから出力された光信号のパワーを一定レベルに調整するＶＯＡ７とを備える。このように構成することにより、伝送路ファイバ４における伝送路損失の変動を吸収（補正）することができ、かつ、伝送路ファイバ４の種別に応じて信号光の送信パワーを容易に変更できる。また、受信側装置Ｂからの制御光信号のパワーレベルに応じてＶＯＡ７の深さ（減衰量）を調整するので、信号光が適切に減衰されてＳＮＲの劣化を防ぐことができる。
【００２３】
実施の形態２．
図４は、この発明の実施の形態２による光通信装置の構成を概略的に示すブロック図である。図４において、送信側装置Ａは、上記実施の形態１の図３で示した構成に加え、光カプラ９及びモニタ部１０を備える。なお、図４において、図３と同一構成要素には、同一符号を付して説明を省略する。
【００２４】
光カプラ（分岐部）９は、ＶＯＡ７へ入力される制御光信号の一部のパワーをモニタ部１０へ分岐する。モニタ部１０は、ＶＯＡ７へ入力される制御光信号のパワーをモニタする構成要素であり、制御光信号を光電気変換するフォトダイオードや、電気変換された制御光信号の電圧レベルを所定の閾値と比較するコンパレータ等から構成される。
【００２５】
次に動作について説明する。
制御光生成部８で生成された制御光信号は、光フィルタ６ｂによって信号光と合波され、伝送路ファイバ４を介して送信側装置Ａへ伝送される。このとき、制御光信号は、信号光とは逆向きに伝送路ファイバ４中を伝送する。つまり、信号光は、送信側装置Ａから受信側装置Ｂに向かって伝送されるが、制御光信号は、受信側装置Ｂから送信側装置Ａに向かって伝送される。なお、ここでは、制御光信号が、常に送信側装置Ａへ伝送されているものとする。
【００２６】
送信側装置Ａでは、光カプラ９によって受信側装置Ｂから送信される制御光信号の一部のパワーがモニタ部１０へ分岐される。モニタ部１０では、光カプラ９で分岐された制御光信号のパワーを入力すると、これを光電気変換し、電気変換した制御光信号の電圧レベルと所定の閾値を比較する。この比較結果に応じて、受信側装置Ｂからの制御光信号の有無を判定する。モニタ部１０による判定結果に基づいて、ＶＯＡ７の動作を制御する。
【００２７】
例えば、モニタ部１０によって受信側装置Ｂからの制御光信号がないと判定されると、伝送路ファイバ４が切断されたと判断し、ＶＯＡ７によって減衰量を大きくすることで、伝送路ファイバ４への信号光の出力を停止する。若しくは、ＶＯＡ７の動作を前置保持する。また、この状態からモニタ部１０で制御光信号があると判定されれば、伝送路ファイバ４が繋がったと判断することができ、ＶＯＡ７の動作を開始するトリガとすることもできる。
【００２８】
なお、制御光信号のパワーレベルに応じたＶＯＡ７の動作制御は、上記実施の形態１と同様である。
【００２９】
以上のように、この実施の形態２によれば、送信側装置Ａが、ＶＯＡ７へ入力される制御光信号の一部を分岐する光カプラ９と、光カプラ９で分岐された制御光信号のパワーをモニタするモニタ部１０とを備えたので、送信側装置Ａが、制御光信号のパワーのモニタ結果により制御光信号の受信有無を検出することができ、この制御光信号の受信有無に応じて伝送路ファイバ４の破断等を検出できる。
【００３０】
実施の形態３．
図５は、この発明の実施の形態３による光通信装置の構成を概略的に示すブロック図である。図５において、受信側装置Ｂは、上記実施の形態１の図３で示した構成に加え、ＶＯＡ１１を備える。なお、図５において、図３と同一構成要素には、同一符号を付して説明を省略する。
【００３１】
ＶＯＡ（光可変減衰部）１１は、伝送路損失変動を補償する際に用いる。受信側装置Ｂには、ＶＯＡ１１を制御する手段として、例えば信号光の波長数を検出する手段を備え、波長数に応じてＶＯＡ１１の動作を制御し信号光のパワーレベルを一定制御する。また、送信側装置Ａから信号光のパワーを受信装置Ｂに転送することで、上記実施の形態１と同じ制御を行うことが挙げられる。
【００３２】
例えば、伝送路ファイバ４で伝送路損失が増大し、送信側装置Ａから入力した信号光パワーが低くなると、これに応じて減衰量を調節することにより、ＶＯＡ１１での損失を少なくする。反対に、伝送路損失が減少し、送信側装置Ａから入力した信号光パワーが高くなると、ＶＯＡ１１での損失が増加するように制御する。
【００３３】
このようにして、図５に示すような大きな伝送路損失の変動を、送信側装置Ａに設置されたＶＯＡ７と受信側装置Ｂに設置されたＶＯＡ１１の双方で吸収する。
【００３４】
以上のように、この実施の形態３によれば、送信側装置Ａが、受信側装置Ｂからの制御光信号のパワーレベルに応じて、受信側装置Ｂへ送信する光信号のパワーを一定レベルに調整するＶＯＡ７を備えるとともに、受信側装置Ｂが、光信号のパワーを一定レベルに調整するＶＯＡ１１を備えたので、送信側装置ＡのＶＯＡ７と受信側装置ＢのＶＯＡ１１の双方で伝送路損失の変動を補償するので、より大きな変動を吸収することができる。
【００３５】
実施の形態４．
図６は、この発明の実施の形態４による光通信装置の構成を概略的に示すブロック図である。図６において、送信側装置Ａは、上記実施の形態１の図３で示した構成に加え、光フィルタ１２ａ及び制御光生成部１３を備える。また、受信側装置Ｂは、上記実施の形態３の図５で示した構成に加え、光フィルタ１２ｂを備える。なお、図６において、図３及び図５と同一構成要素には、同一符号を付して説明を省略する。
【００３６】
光フィルタ１２ａは、制御光生成部１３で生成された制御光信号を信号光と合波するためのフィルタであり、光フィルタ１２ｂは、送信側装置Ａの制御光生成部１３からの制御光信号を信号光から分波するためのフィルタである。
【００３７】
制御光生成部１３は、受信側装置ＢのＶＯＡ１１の動作を制御するための制御光信号を受信側装置Ｂへ送信する構成要素であり、レーザダイオードなどから構成される。なお、制御光生成部１３で生成される制御光信号は、受信側装置Ｂに設置された制御光生成部８で生成される制御光信号と同じ機能を実現することを目的とした信号であるが、これらの制御光信号は互いに波長が異なる。
【００３８】
次に動作について説明する。
制御光生成部８で生成された制御光信号は、光フィルタ６ｂによって信号光と合波され、伝送路ファイバ４を介して送信側装置Ａへ伝送される。このとき、制御光信号は、信号光とは逆向きに伝送路ファイバ４中を伝送する。つまり、信号光は、送信側装置Ａから受信側装置Ｂに向かって伝送されるが、制御光信号は、受信側装置Ｂから送信側装置Ａに向かって伝送される。
【００３９】
送信側装置Ａでは、光フィルタ６ａによって信号光から制御光信号が分波される。分波された制御光信号は、不図示のフォトダイオード等で電気信号に変換され、変換後の電圧値、若しくは送信側装置Ａで予め変調した変調周波数等を検出する。続いて、不図示の比較器によって、制御光信号についての電気信号の電圧値と予め設定した所定の閾値との差分を検出し、この差分に応じて送信側装置ＡのＶＯＡ７を制御する。
【００４０】
一方、制御光生成部１３で生成された制御光信号は、光フィルタ１２ａによって信号光と合波され、伝送路ファイバ４を介して受信側装置Ｂへ伝送される。このとき、制御光信号は、信号光とは同じ向きに伝送路ファイバ４中を伝送する。
【００４１】
受信側装置Ｂでは、光フィルタ１２ｂにより信号光から上記制御光信号が分波される。分波された制御光信号は、不図示のフォトダイオード等で電気信号に変換され、変換後の電圧値、若しくは受信側装置Ｂで予め変調した変調周波数等を検出する。続いて、不図示の比較器によって、制御光信号についての電気信号の電圧値と予め設定した所定の閾値との差分を検出し、この差分に応じて受信側装置ＢのＶＯＡ１１を制御する。
【００４２】
例えば、伝送路ファイバ４において伝送路損失が増大し、受信側装置Ｂへ入力される制御光信号のパワーが低くなると、これに応じて減衰量を調節することにより、ＶＯＡ１１での損失を少なくする。これにより、信号光パワーレベルを増加させる。反対に、伝送路損失が減少し、受信側装置Ｂへ入力される制御光信号のパワーが高くなると、ＶＯＡ１１での損失が増加するように制御する。このようにして、信号光パワーレベルを常に一定に保つことができる。
【００４３】
以上のように、この実施の形態４によれば、送信側装置Ａが、受信側装置Ｂへの制御光信号を生成し、伝送路ファイバ４を介して制御光信号を受信側装置Ｂへ出力する制御光生成部１３を備え、受信側装置ＢのＶＯＡ１１が、送信側装置Ａからの制御光信号のパワーレベルに応じて、光信号のパワーを一定レベルに調整する。特に、受信側装置Ｂが、送信側装置Ａから受信した光信号のパワーを増幅する光増幅部５ｂと、光増幅部５ｂの入力に接続し、伝送路ファイバ４を介して送信側装置Ａから受信した制御光信号のパワーレベルに応じて、光増幅部５ｂへ入力する光信号のパワーを一定レベルに調整するＶＯＡ１１とを備える。このように構成することで、上記実施の形態３と同様に、送信側装置ＡのＶＯＡ７と受信側装置ＢのＶＯＡ１１の双方で伝送路損失の変動を補償するので、より大きな変動を吸収することができる。また、制御光生成部８，１３はほぼ同様な回路で構成できるため、光通信装置の構成上の簡易化が可能である。
【００４４】
実施の形態５．
図７は、この発明の実施の形態５による光通信装置の構成を概略的に示すブロック図である。受信側装置Ｂは、上記実施の形態４の図６で示した構成に加え、光カプラ１４及びモニタ部１５を備える。なお、図７において、図３〜６と同一構成要素には、同一符号を付して説明を省略する。
【００４５】
光カプラ（分岐部）１４は、ＶＯＡ１１へ入力される制御光信号の一部のパワーをモニタ部１５へ分岐する。モニタ部１５は、ＶＯＡ１１へ入力される制御光信号のパワーをモニタする構成要素であり、モニタ部１０と同様に制御光信号を光電気変換するフォトダイオードや、電気変換された制御光信号の電圧レベルを所定の閾値と比較するコンパレータ等から構成される。
【００４６】
次に動作について説明する。
制御光生成部１３で生成された制御光信号は、光フィルタ１２ａによって信号光と合波され、伝送路ファイバ４を介して受信側装置Ｂへ伝送される。受信側装置Ｂでは、光カプラ１４によって送信側装置Ａからの制御光信号の一部のパワーがモニタ部１５へ分岐される。
【００４７】
モニタ部１５では、光カプラ１４で分岐された制御光信号のパワーを入力すると、これを光電気変換し、電気変換した制御光信号の電圧レベルと所定の閾値を比較する。この比較結果に応じて、送信側装置Ａからの制御光信号の有無を判定する。モニタ部１５による判定結果に基づいて、ＶＯＡ１１の動作を制御する。
【００４８】
受信側装置Ｂに設置された光カプラ１４及びモニタ部１５は、上記実施の形態２で示した送信側装置Ａの光カプラ９及びモニタ部１０と同じ機能を実現することを目的としている。例えば、モニタ部１０，１５の双方が、制御光信号がないと判定した場合、伝送路ファイバ４が切断されたと判断し、制御光信号があると判定した場合、伝送路ファイバ４が接続されたと判断することができる。
【００４９】
そこで、例えば、伝送路ファイバ４が切断されたことを検出した場合、送信側装置ＡのＶＯＡ７を制御して信号光のパワーを下げる、いわゆるアイセーブ処理を行ってもよい。アイセーフとは、伝送路ファイバ４が何らかの原因で切断された際、伝送路ファイバ４を再び接続する修復作業を行う作業者等の目に危なくない程度に、送信側装置Ａからの信号光パワーを下げる処理をいう。
【００５０】
図８は、図７中の光通信装置によるアイセーフ動作を説明するための図である。図８の例では、送信側装置Ａのモニタ部１０が、受信側装置Ｂからの制御光信号を検出できず、伝送路ファイバ４が切断されたと判定した際、伝送路ファイバ４の修復作業を行う作業者等の目に危なくないパワーまで出力光のパワーを落とす場合を示している。
【００５１】
例えば、図８に示すように、出力光のパワー制御方法には下記の２通りの方法がある。
（１）モニタ部１０により伝送路ファイバ４の切断が判定されると、これに応じてＶＯＡ７の減衰量を制御して所定の低出力値まで出力光パワーを落とす。
（２）モニタ部１０により伝送路ファイバ４の切断が判定されると、これに応じて光増幅部５ａの励起レーザの出力パワーを制御して所定の低出力値まで出力光パワーを落とす。
【００５２】
従来の光通信システムにおけるアイセーフ動作は、受信側装置Ｂから送信側装置Ａに対して、伝送路ファイバ４を逆向き（Ｅ系に対してＷ系）に警報を転送することにより実現していた。つまり、受信側装置Ｂが正方向の伝送路ファイバ４の切断を検出し、かつ逆方向の伝送路ファイバ４自体は接続されていないと、アイセーフ動作に移行することができなかった。
【００５３】
これに対して、本発明では、送信側装置Ａ及び受信側装置Ｂの双方が別個に伝送路ファイバ４の切断を検出することができることから、伝送路ファイバ４の両系（Ｅ系とＷ系）が共に切断された場合であっても、アイセーフ動作に移行することができる。
【００５４】
以上のように、この実施の形態５によれば、送信側装置Ａが、ＶＯＡ７へ入力される制御光信号の一部を分岐する光カプラ９と、光カプラ９で分岐された制御光信号のパワーをモニタするモニタ部１０とを備えるとともに、受信側装置Ｂが、ＶＯＡ１１へ入力される制御光信号の一部を分岐する光カプラ１４と、光カプラ１４で分岐された制御光信号のパワーをモニタするモニタ部１５とを備える。このように構成することにより、上記実施の形態３と同様に、送信側装置ＡのＶＯＡ７と受信側装置ＢのＶＯＡ１１の双方で伝送路損失の変動が補償され、より大きな変動を吸収することができる。また、送信側装置Ａ及び受信側装置Ｂの双方が別個に伝送路ファイバ４の切断を検出することから、伝送路ファイバ４の上り下り両系が切断された場合であっても、アイセーフ動作や伝送路断時に必要なその他の出力光パワーの制御処理を実行することができる。
【図面の簡単な説明】
【００５５】
【図１】この発明による光通信システムが適用されるシステム形態を示す図である。
【図２】この発明による光通信システムが適用される他のシステム形態を示す図である。
【図３】この発明の実施の形態１による光通信装置の構成を概略的に示すブロック図である。
【図４】この発明の実施の形態２による光通信装置の構成を概略的に示すブロック図である。
【図５】この発明の実施の形態３による光通信装置の構成を概略的に示すブロック図である。
【図６】この発明の実施の形態４による光通信装置の構成を概略的に示すブロック図である。
【図７】この発明の実施の形態５による光通信装置の構成を概略的に示すブロック図である。
【図８】図７中の光通信装置によるアイセーフ動作を説明するための図である。
【符号の説明】
【００５６】
１Ａ，１Ｂ  ＷＤＭ通信システム、２−１〜２−６  ノード（光通信装置）、３−１〜３−６  端局装置、４  伝送路ファイバ、５ａ，５ｂ  光増幅部、６ａ，６ｂ，１２ａ，１２ｂ  光フィルタ、７，１１  光可変減衰器（ＶＯＡ）（光可変減衰部）、８，１３  制御光生成部、９，１４  光カプラ（分岐部）、１０，１５  モニタ部。
【図１】
2009267950.tif 000003
【図２】
2009267950.tif 000004
【図３】
2009267950.tif 000005
【図４】
2009267950.tif 000006
【図５】
2009267950.tif 000007
【図６】
2009267950.tif 000008
【図７】
2009267950.tif 000009
【図８】
2009267950.tif 000010